(57)【要約】【課題】ハウジングの装着部にカードを装着する構造を有する場合においても、適切にカードが装着されると共にカバーが閉じていることを検知すること。【解決手段】カードと接続されるコンタクト２０４ｂ及びコンタクト２０４ｂとカードとの装着部を備えるハウジング２と、ハウジング２に回動及びスライド可能に取り付けられ、回動及びスライドを伴って所定位置に移動した場合にハウジング２にロックされるカバー３とを備えるカード用コネクタ１において、ハウジング２に、カードにより操作される第１スイッチ機構２１１と、カバー３により操作される第２スイッチ機構２１２とを設け、ハウジング２の装着部にカードを装着した状態でカバー３を回動及びスライドさせてハウジング２にロックさせた場合に第１スイッチ機構２１１及び第２スイッチ機構２１２がオン状態となることを特徴とする。【選択図】図２
2009087679.tif 000002
【特許請求の範囲】
【請求項１】
カードと接続されるコンタクト及び当該コンタクトと前記カードとの装着部を備えるハウジングと、前記ハウジングに回動及びスライド可能に取り付けられ、回動及びスライドを伴って所定位置に移動した場合に前記ハウジングにロックされるカバーとを備えるカード用コネクタであって、
前記ハウジングに、前記カードにより操作される第１スイッチ部と、前記カバーにより操作される第２スイッチ部とを設け、前記ハウジングの装着部に前記カードを装着した状態で前記カバーを回動及びスライドさせて前記ハウジングにロックさせた場合に前記第１スイッチ部と前記第２スイッチ部とがオン状態となることを特徴とするカード用コネクタ。
【請求項２】
前記第１スイッチ部は、第１可動接点と第１固定接点及び第２固定接点とからなり、前記第２スイッチ部は、第２可動接点と第３固定接点及び第４固定接点とからなり、前記第２固定接点と前記第３固定接点とが接続され、前記カードにより前記第１スイッチ部が操作されると前記第１可動接点が動作して前記第１固定接点及び前記第２固定接点に接触し、前記カバーにより前記第２スイッチ部が操作されると前記第２可動接点が動作して前記第３固定接点及び前記第４固定接点に接触し、前記第１固定接点から前記第４固定接点までが導通状態となることで前記第１スイッチ部と前記第２スイッチ部とがオン状態となることを特徴とする請求項１記載のカード用コネクタ。
【請求項３】
前記第１及び第２可動接点は、捻りコイルばねから構成されることを特徴とする請求項２記載カード用コネクタ。
【請求項４】
前記第１固定接点及び前記第４固定接点に外部出力用端子が接続されることを特徴とする請求項２又は請求項３記載のカード用コネクタ。
【請求項５】
被検出部材により操作される第１スイッチ部と、前記被検出部材を所定の位置に保持する保持部材により操作される第２スイッチ部とを具備し、前記第１スイッチ部と前記第２スイッチ部とが同時に操作された場合に前記被検出部材が前記所定の位置に保持されていることを検出することを特徴とする被検出部材検出機構。
【発明の詳細な説明】
【技術分野】
【０００１】
本発明は、カード用コネクタに関し、特に、携帯電話機等の電子機器においてチップカードやＩＣメモリカード等のカードを基板に電気的に接続するためのカード用コネクタに関する。
【背景技術】
【０００２】
従来、携帯電話機等の電子機器にてＩＣメモリカード等のカードを基板に電気的に接続するためのカード用コネクタにおいて、カードが適切に装着されているかを検出する機能を有するものが知られている（例えば、特許文献１参照）。このカード用コネクタにおいては、カードを保持することでスイッチ操作可能状態となるスイッチ操作部をカバーに設けると共に、カードを保持した状態でこのカバーを回動させた後にスライドさせることでオン状態となるカード検出スイッチを備えている。
【特許文献１】特許第３５４６３８７号明細書
【発明の開示】
【発明が解決しようとする課題】
【０００３】
しかしながら、上述したような従来のカード用コネクタは、カバーにカードを保持させる構造を有する場合にのみ適用することが可能であり、ハウジングの装着部にカードを装着する構造を有する場合には適用することができない。現在、携帯電話機等の電子機器においては、カードをハウジングの装着部に装着した後、カバーを回動させると共にスライドさせる構造を有するものが普及している。
【０００４】
本発明はかかる実情に鑑みて為されたものであり、ハウジングの装着部にカードを装着する構造を有する場合においても、適切にカードが装着されると共にカバーが閉じていることを検知することができるカード用コネクタを提供することを目的とする。
【課題を解決するための手段】
【０００５】
本発明のカード用コネクタは、カードと接続されるコンタクト及び当該コンタクトと前記カードとの装着部を備えるハウジングと、前記ハウジングに回動及びスライド可能に取り付けられ、回動及びスライドを伴って所定位置に移動した場合に前記ハウジングにロックされるカバーとを備えるカード用コネクタであって、前記ハウジングに、前記カードにより操作される第１スイッチ部と、前記カバーにより操作される第２スイッチ部とを設け、前記ハウジングの装着部に前記カードを装着した状態で前記カバーを回動及びスライドさせて前記ハウジングにロックさせた場合に前記第１スイッチ部と前記第２スイッチ部とがオン状態となることを特徴とする。
【０００６】
上記カード用コネクタによれば、ハウジングの装着部にカードを装着した状態でカバーを回動及びスライドさせてハウジングにロックさせた場合に限って第１スイッチ部及び第２スイッチ部をオン状態とすることができるので、ハウジングの装着部にカードを装着する構造を有する場合においても、適切にカードが装着されると共にカバーが閉じていることを検知することが可能となる。
【０００７】
例えば、上記カード用コネクタにおいて、前記第１スイッチ部は、第１可動接点と第１固定接点及び第２固定接点とからなり、前記第２スイッチ部は、第２可動接点と第３固定接点及び第４固定接点とからなり、前記第２固定接点と前記第３固定接点とが接続され、前記カードにより前記第１スイッチ部が操作されると前記第１可動接点が動作して前記第１固定接点及び前記第２固定接点に接触し、前記カバーにより前記第２スイッチ部が操作されると前記第２可動接点が動作して前記第３固定接点及び前記第４固定接点に接触し、前記第１固定接点から前記第４固定接点までが導通状態となることで前記第１スイッチ部と前記第２スイッチ部とがオン状態となる。この場合には、カードにより第１スイッチ部を操作すると共に、カバーにより第２スイッチ部を操作することで簡単に第１固定接点から第４固定接点までを導通状態とし、第１、第２スイッチ部をオン状態とすることができるので、適切にカードが装着されると共にカバーが閉じていることを確実に検知することが可能となる。
【０００８】
特に、上記カード用コネクタにおいて、前記第１及び第２可動接点は、捻りコイルばねから構成されることが好ましい。このように第１及び第２可動接点を捻りコイルばねで構成することにより、簡単な構成で第１及び第２スイッチ部を構成することが可能となる。
【０００９】
また、上記カード用コネクタにおいて、前記第１固定接点及び前記第４固定接点に外部出力用端子が接続されることが好ましい。この場合には、カード及びカバーにより操作され、第１及び第２スイッチ部がオン状態となった時にのみ検知信号が外部に出力されるので、当該検知信号に応じて外部機器で、適切にカードが装着されると共にカバーが閉じていることを確実に検知することが可能となる。
【００１０】
本発明の被検出部材検出機構は、被検出部材により操作される第１スイッチ部と、前記被検出部材を所定の位置に保持する保持部材により操作される第２スイッチ部とを具備し、前記第１スイッチ部と前記第２スイッチ部とが同時に操作された場合に前記被検出部材が前記所定の位置に保持されていることを検出することを特徴とする。
【００１１】
上記被検出部材検出機構によれば、第１スイッチ部と第２スイッチ部とが同時に操作された場合に限って被検出部材が所定の位置に保持されていることを検出することができるので、適切に被検出部材が装着されていることを、簡単な構成で確実に検出することが可能となる。
【発明の効果】
【００１２】
本発明によれば、ハウジングの装着部にカードを装着した状態でカバーを回動及びスライドさせてハウジングにロックさせた場合に限って第１スイッチ部及び第２スイッチ部をオン状態とすることができるので、ハウジングの装着部にカードを装着する構造を有する場合においても、適切にカードが装着されると共にカバーが閉じていることを検知することが可能となる。
【発明を実施するための最良の形態】
【００１３】
以下、本発明の一実施の形態について添付図面を参照して詳細に説明する。図１及び図２は、本発明の一実施の形態に係るカード用コネクタ（以下、単に「コネクタ」という）１の構成を説明するための斜視図である。図３は、本実施の形態に係るコネクタ１の上面図である。なお、図１及び図２においては、コネクタ１が有するカバーが開かれた状態について示している。また、図１においては、コネクタ１の右方側から示し、図２においては、コネクタ１を左方側から示している。さらに、図３においては、コネクタ１が有するカバーを省略している。以下においては、適宜、コネクタ１における図１に示す紙面左方側を「コネクタ１の前方側」又は単に「前方側」と呼び、同図に示す紙面右方側を「コネクタ１の後方側」又は単に「後方側」と呼ぶものとする。
【００１４】
図１〜図３に示すように、本実施の形態に係るコネクタ１は、合成樹脂材料などの絶縁材料を成形して形成されるハウジング２と、金属薄板材料に打ち抜き加工及び折り曲げ加工などを施して形成されるカバー３とを備えている。ハウジング２は、概して偏平な直方体形状を有しており、その上方側及び前方側に開口した空間を有している。なお、この空間は、ハウジング２におけるカードの装着部を構成する。カバー３は、ハウジング２の上方側の開口部の一部に対応する形状を有している。また、その一端部（コネクタ１の後方側端部）でハウジング２に取り付けられ、ハウジング２に対して回動可能に構成されている。このようにカバー３を回動させることで、ハウジング２内の空間（カードの装着部）が開放可能に構成されている。
【００１５】
ハウジング２は、コネクタ１の底面部を構成するベース部２０１と、コネクタ１の側端部において、このベース部２０１から上方側に垂直に立設された側壁部２０２ａ、ｂとを有している。ベース部２０１には、コネクタ１の前後に２つの開口部２０３ａ、ｂが形成されている。これらの開口部２０３ａ、ｂに対応する位置に、コネクタ１に収容されるカードの接触部に接触する複数のコンタクト２０４ａ、ｂがコネクタ１の左右方向に並べて設けられている。
【００１６】
これらのコンタクト２０４ａ、ｂは、細長い薄板金属で形成されている。コンタクト２０４ａの前方側端部は、僅かに下方側に折り曲げられ、不図示の基板の導体に半田接続可能に構成されている。一方、コンタクト２０４ｂの後方側端部は、上方側に持ち上げられ、その端部近傍がカードの接触部に弾性的に接触するように構成されている。
【００１７】
また、ベース部２０１には、開口部２０３ａの側方側であって、側壁部２０２ａの内側に上方側に突出する凸壁２０５が設けられている。凸壁２０５は、側壁部２０２ａの内壁面と連設されている。凸壁２０５は、後述するように、カードに形成された凹部に対応する位置に設けられ、カードが装着された場合にこの凹部を介して上方側に僅かに突出する高さを有している。なお、凸壁２０５は、ハウジング２にカードを装着し易いようにその端部が面取りされている。凸壁２０５の上面には、薄板金属で構成される接地片２０６が設けられている。この接地片２０６は、後述するカバー３の弾性接触片３０７と接触してカバー３を接地するものである。
【００１８】
側壁部２０２ａには、その中央部より僅かに前方側の位置に切り欠き部２０７が形成されている。切り欠き部２０７の前方側であって、側壁部２０２ａの外面には、凹部２０８が設けられている（図１において凹部２０８は不図示、図２参照）。これらの切り欠き部２０７及び凹部２０８は、詳細について後述するように、カバー３をスライド動作させる前後の状態でカバー３の係合片３０８を収容し、或いは、当該係合片３０８と係合するものである。なお、切り欠き部２０７における凹部２０６寄りの外面には、カバー３の係合片３０８を凹部２０８に案内し易いように傾斜面が形成されている。
【００１９】
また、凹部２０８の前方側であって、側壁部２０２ａの外面には、側方側に突出する保持片２０９が設けられている（図１において保持片２０９は不図示、図２参照）。保持片２０９は、詳細について後述するように、カバー３のロック片３０４と係合し、カバー３をロック状態とするものである。保持片２０９は、例えば、薄板金属で形成されるが、これに限定されるものではなく、ハウジング２を構成する合成樹脂材料で形成しても良い。
【００２０】
さらに、側壁部２０２ａ、ｂの後方側の端部近傍であって、側壁部２０２ａ、ｂの外面には、後述するカバー３の回動軸３１４ａ、ｂを回動可能に収容する凹部２１０ａ、ｂが設けられている。凹部２１０ａ、ｂは、コネクタ１の前後方向に僅かに長い形状を有している。このため、カバー３の回動軸３１４ａ、ｂは、この凹部２１０ａ、ｂの範囲内でコネクタ１の前後方向に僅かにスライド可能に構成されている。
【００２１】
側壁部２０２ｂには、ハウジング２に装着されるカードにより操作される第１スイッチ部としての第１スイッチ機構２１１と、カバー３により操作される第２スイッチ部としての第２スイッチ機構２１２とが配設されている。第１スイッチ機構２１１は、駆動部材２１１ａと、駆動部材２１１ａの下方側に配置された第１可動接点としての捻りコイルばね２１１ｂ及び固定接点２１１ｃとから構成される。第２スイッチ機構２１２は、駆動部材２１２ａと、駆動部材２１２ａの下方側に配置された第２可動接点としての捻りコイルばね２１２ｂ及び固定接点２１２ｃとから構成される。このように第１、第２スイッチ機構２１１、２１２が備える可動接点を捻りコイルばねで構成することにより、簡単な構成で第１、第２スイッチ機構２１１，２１２を構成することが可能となる。
【００２２】
なお、これらの第１、第２スイッチ機構２１１、２１２は、カード及びカバー３により操作された場合にオン状態となる一方、いずれか又は双方により操作されていない場合にオフ状態となる。そして、具体的には、カードが適切にハウジング２内に装着され、カバー３がロックされた場合にオン状態となることから、第１、第２スイッチ機構２１１、２１２のオン状態を検出することで適切にカードが装着されると共にカバー３が閉じられていることを検知することが可能となっている。
【００２３】
駆動部材２１１ａ、２１２ａは、それぞれ側壁部２０２ｂの前後方向に形成された凹部２１３、２１４に上下動可能に収容されている。駆動部材２１２ａは、駆動部材２１１ａよりも前方側に配置されている。駆動部材２１１ａにおける内壁面の下端部近傍には、ハウジング２に装着されるカードの下面と当接する当接片２１１ｄが形成されている。駆動部材２１１ａは、当接片２１１ｄにカードが当接することで駆動される。駆動部材２１２ａにおける上面部には、カバー３がスライド移動した場合にその端面と当接する当接片２１２ｄが形成されている。駆動部材２１２ａは、当接片２１２ｄにカバー３が当接することで駆動される。なお、捻りコイルばね２１１ｂ、２１２ｂ及び固定接点２１１ｃ、２１２ｃの構成、並びに、これらの第１及び第２スイッチ機構２１１、２１２の動作については後述する。
【００２４】
また、側壁部２０２ｂにおける第１及び第２スイッチ機構２１１、２１２の内側には、側壁部２０２ｂと同一の高さで内側に突出する突出壁２１５ａ、ｂが設けられている。突出壁２１５ａ、ｂは、凸壁２０５と同様に、ハウジング２に装着されるカードに形成された凹部に対応する位置に設けられている。また、これらの突出壁２１５ａ、ｂは、ハウジング２にカードを装着し易いようにその端部が面取りされている。
【００２５】
さらに、第１及び第２スイッチ機構２１１、２１２の間であって、側壁部２０２ｂの外面には、側方側に突出する突出片２１６が設けられている。また、側壁部２０２ｂの前方側端部近傍であって、側壁部２０２ｂの外面には、側方側に突出する突出片２１７が設けられている。これらの突出片２１６、２１７は、詳細について後述するように、カバー３の左右側板３０２ｂに設けられた係合部と係合し、カバー３が開くのを規制するものである。
【００２６】
開口部２０３ａ、２０３ｂの左方側の端面には、コネクタ１の内側に延出するグランド端子２１８ａ、ｂが設けられている。これらの接地端子２１８ａ、ｂは、ハウジング２の内部において凸壁２０５の接地片２０６と接続されている。また、開口部２０３ａ、２０３ｂの右方側の端面には、コネクタ１の内側に延出する外部出力用端子２１９ａ、ｂが設けられている。これらの外部出力用端子２１９ａ、ｂは、ハウジング２の内部において第１、第２スイッチ機構２１１、２１２が有する固定接点２１１ｃ、２１２ｃと接続されている。
【００２７】
なお、このような構成を有するコネクタ１においては、コンタクト２０４ａ、ｂ、接地片２０６、保持片２０９、接地端子２１８ａ、ｂ、並びに、外部出力用端子２１９ａ、ｂを同一の薄板金属で形成することが好ましい。このようにコンタクト２０４ａ、ｂ、接地片２０６、保持片２０９、接地端子２１８ａ、ｂ、並びに、外部出力用端子２１９ａ、ｂを同一の薄板金属で形成する場合には、薄板金属の材料歩留りを向上してコストを低減することが可能となる。特に、ハウジング２をモールド成形する際にコンタクト２０４ａ、ｂ、接地片２０６、保持片２０９、接地端子２１８ａ、ｂ、並びに、外部出力用端子２１９ａ、ｂをインサート成形することが好ましい。このようにコンタクト２０４ａ、ｂ、接地片２０６、保持片２０９、接地端子２１８ａ、ｂ、並びに、外部出力用端子２１９ａ、ｂをインサート成形することにより、複数の薄板金属部材が設けられるハウジング２を簡単に製造することが可能となる。
【００２８】
カバー３は、図１及び図２に示すように、概して矩形板状の天板３０１と、この天板３０１の左右側縁から垂下し側壁部２０２ａ、ｂと対向配置される左右側板３０２ａ、ｂと、これらの左右側板３０２ａ、ｂの後方側端部から連続して後方側に向かって延在する左右アーム部３０３ａ、ｂとを有している。天板３０１には、その前方側であって左方側縁から垂下するロック片３０４が設けられている。ロック片３０４は、天板３０１から一定長さ離れた位置で前方側に屈曲した形状を有している。そして、その先端部において、ハウジング２の保持片２０９と係合する係合部３０５が形成されている。
【００２９】
また、天板３０１における中央近傍の左方側の位置には、切り欠き部３０６が形成されている（図１、図２において切り欠き部３０６は不図示、図６参照）。この切り欠き部３０６の後方側の端面の中央部近傍から前方側に向かって弾性接触片３０７が形成されている。この弾性接触片３０７は、前方側端部がハウジング２側に向かって延出するように形成されている。カバー３が閉じられ、所定の位置にスライド移動した場合において、弾性接触片３０７は、ハウジング２の接地片２０６に弾性接触するように構成されている。
【００３０】
さらに、左右側板３０２ａの前方側端部には、前方側に向かって延出する係合片３０８が形成されている。係合片３０８の先端部には、僅かに内側に向かって突出するように折り曲げられた曲げ部３０９が設けられている。曲げ部３０９は、ハウジング２の側壁部２０２ａよりも内側部分に配置されている。このため、係合片３０８は、カバー３が閉じられた状態において、側壁部２０２ａに弾性接触するように構成されている。
【００３１】
一方、天板３０１における前方側であって右方側の位置には、切り欠き部３１０が形成されている（図１、図２において切り欠き部３１０は不図示、図６参照）。この切り欠き部３１０の前方側には、天板３０１の右方側縁から垂下する規制片３１１が設けられている。規制片３１１には、その前方側の端面に係合部３１２が形成されている。また、左右側面３０２ｂには、その前方側の端面に係合部３１３が形成されている。これらの係合部３１２、３１３は、それぞれハウジング２に設けられる突出片２１７、２１６と係合してカバー３が不用意に開くのを規制する。
【００３２】
また、左右アーム部３０３ａ、ｂの後方側端部には、コネクタ１の内側に突出する回動軸３１４ａ、ｂが設けられている。これらの回動軸３１４ａ、ｂは、ハウジング２の凹部２１１ａ、ｂに回動可能に収容される。このように回動軸３１４ａ、ｂが凹部２１１ａ、ｂに収容されることで、カバー３は、ハウジング２に対して回動可能に構成されている。
【００３３】
本実施の形態に係るコネクタ１においては、カバー３を回動させて開いた状態とし、ハウジング２内にカードが装着される。ここで、ハウジング２内に装着されるカード４の構成について説明する。図４及び図５は、それぞれ本実施の形態に係るコネクタ１のハウジング２内に装着されるカード４の構成を説明するための斜視図及び上面図である。
【００３４】
図４及び図５に示すように、ハウジング２内に装着されるカード４は、平板形状を有しており、その左右側縁にリブ部４０１ａ、ｂが設けられている。リブ部４０１ａ、ｂにおける前方側の端部近傍には、それぞれ凹部４０２ａ、ｂが形成されている。また、リブ部４０１ｂの凹部４０２ｂより後方側には、凹部４０３が形成されている。凹部４０２ａ、ｂは、それぞれカード４がハウジング２内に装着された場合に凸壁２０５、突出壁２１５ａに対応する位置に形成されており、凹部４０３は、突出壁２１５ｂに対応する位置に形成されている。
【００３５】
図４及び図５に図示されていないが、カード４の下面であって、後方側の端部近傍には、ハウジング２に設けられた複数のコンタクト２０４ｂに接触する接触部（端子部）が、当該コンタクト２０４ｂに対応する位置に設けられている。カード４がハウジング２内に装着された場合において、これらの接触部には、それぞれのコンタクト２０４ｂの先端部が弾性接触するように構成されている。
【００３６】
なお、本実施の形態に係るコネクタ１のハウジング２に収容されるカード４としては、例えば、メモリースティック  マイクロが該当するが、これに限定されるものではない。凸壁２０５及び突出壁２１５ａ、ｂに対応するカード４の側面部に凹部が形成されていることを条件として、任意のカードを適用することが可能である。
【００３７】
次に、このような構成を有するカード４をコネクタ１に装着する際の状態について説明する。カード４は、図６及び図７に示すように、カバー３を開いた状態でハウジング２内に装着される。図６及び図７は、本実施の形態に係るコネクタ１のハウジング２内にカード４が装着された状態の斜視図及び上面図である。ハウジング２内のカード４においては、図６及び図７に示すように、凹部４０２ａ、ｂでそれぞれ凸壁２０５、突出壁２１５ａを収容すると共に、凹部４０３で突出壁２１５ｂを収容した状態となっている。
【００３８】
このように凸壁２０５を凹部４０２ａで収容した状態において、凸壁２０５の上面は、リブ部４０１ａの上面よりも高い位置でカード４の最大高さよりも低い位置に配置されている。従って、凸壁２０５の上面に設けられた接地片２０６は、リブ部４０１ａの上面よりも高い位置に配置されている。このように接地片２０６が凹部４０２ａを介してカード４の上面よりも上方側に突出しているので、カバー３を閉じた場合に弾性接触片３０７が接地片２０６に接触し易く構成されている。また、凸壁２０５ａ、ｂの上面がカード４の最大高さよりも低くなっていることから、カバー３を閉じた場合に弾性接触片３０７ａ、ｂが凸壁２０５ａ、ｂと当接してもカバー３の上方側に突出しないよう構成されている。
【００３９】
また、このようにハウジング２内にカード４が装着された場合、カード４の下面が第１スイッチ機構２１１の駆動部材２１１ａの当接部２１１ｄに当接している。これにより、駆動部材２１１ａは、下方に配置された捻りコイルばね２１１ｂの付勢力に抗して下方側に押し下げられている。このとき、捻りコイルばね２１１ｂの腕部は、固定接点２１１ｃと接触した状態となっている。なお、このような第１スイッチ機構２１１における動作の詳細については後述する。
【００４０】
次に、コネクタ１は、図８及び図９に示すように、カバー３を回動して閉じた状態とされる。図８及び図９は、本実施の形態に係るコネクタ１において、カバー３を閉じた状態の斜視図及び上面図である。図８及び図９に示すように、カバー３を閉じる場合、カバー３は、回動軸３１４ａ、ｂをハウジング２の凹部２１０ａ、ｂの後方側端部に配置した状態で回動する。このようにカバー３が回動すると、カバー３の弾性接触片３０７がハウジング２の側壁部２０２ａの内側に配置される一方、ロック片３０４及び係合片３０８が側壁部２０２ａの外側に配置される。また、カバー３の規制片３１１は、側壁部２０２ｂの外側に配置される。
【００４１】
この場合において、弾性接触片３０７は、凸壁２０５よりも後方側の位置に配置されており、凸壁２０５に到達していない。従って、弾性接触片３０７は、接地片２０６にも接触していないため、カバー３は接地されていない状態である。また、ロック片３０４は、保持片２０９よりも後方側の位置に配置されており、係合部３０５が保持片２０９と係合していない状態である。さらに、係合片３０８の先端は、切り欠き部２０７に対応する位置に配置されており、曲げ部３０９が切り欠き部２０７に収容された状態となっている。この場合、カバー３は、ロックされておらず、スライド移動可能となっている。
【００４２】
また、切り欠き部３１０は、第２スイッチ機構２１２の駆動部材２１２ａにおける当接片２１２ｄを収容する位置に配置されている。この場合、当接片２１２ｄにカバー３が当接していないので、駆動部材２１２ａが駆動されることはない。また、規制片３１１の係合部３１２及び左右側面３０２ｂの係合部３１３は、突出片２１７及び２１６の後方側の位置に配置されており、これらと係合していない状態である。
【００４３】
次に、コネクタ１は、図１０及び図１１に示すように、カバー３をスライド移動させてロックした状態とされる。図１０及び図１１は、本実施の形態に係るコネクタ１において、カバー３をロックした状態の斜視図及び上面図である。図１０及び図１１に示すように、カバー３を前方側にスライド移動する場合、カバー３の回動軸３１４ａ、ｂは、ハウジング２の凹部２１０ａ、ｂの前方側端部に移動する。この場合、カバー３は、ハウジング２内に装着されたカード４の接触部が複数のコンタクト２０４ｂと接続するようにカード４を押圧した状態となる。
【００４４】
この場合において、カバー３の弾性接触片３０７は、凸壁２０５に到達し、その先端部が接地片２０６に接触する。このため、カバー３が接地された状態となる。また、ロック片３０４は、保持片２０９に到達し、係合部３０５が保持片２０９と係合した状態となる。さらに、係合片３０８の先端は、切り欠き部２０７から出て凹部２０８に到達し、当該凹部２０８と係合した状態となる。これにより、カバー３は、ロックされた状態とされる。
【００４５】
また、切り欠き部３１０の後方側の端面は、カバー３のスライド動作に応じて第２スイッチ機構２１２の駆動部材２１２ａにおける当接片２１２ｄと当接する。これにより、駆動部材２１２ａは、下方に配置された捻りコイルばね２１２ｂの付勢力に抗して下方側に押し下げられている。このとき、捻りコイルばね２１２ｂの腕部は、固定接点２１２ｃと接触した状態となっている。また、規制片３１１の係合部３１２及び左右側面３０２ｂの係合部３１３は、突出片２１７、２１６に到達し、これらと係合した状態となる。このように係合部３１２、３１３と突出片２１７、２１６と係合することにより、カバー３が開くことが規制される。
【００４６】
このようにしてカード４がコネクタ１内に装着されることとなる。なお、コネクタ１内に装着されたカード４を取り出す場合には、ロック片３０４の係合部３０５と保持片２０９との係合を解除すべくカバー３を僅かに下方側に押し下げた後、後方側にスライド移動させる。そして、カバー３の前方側端部を上方側に回動させてハウジング２を開いた状態とする。この状態からカード４が上方側に取り出される。
【００４７】
ここで、本実施の形態に係るコネクタ１が有する第１、第２スイッチ機構２１１、２１２の動作について図１２〜図１７を用いて説明する。図１２、図１４及び図１６は、本実施の形態に係るコネクタ１が有する第１、第２スイッチ機構２１１、２１２の動作について説明するための斜視図である。図１３、図１５及び図１７は、本実施の形態に係るコネクタ１が有する第１、第２スイッチ機構２１１、２１２の側面図である。なお、図１２、図１４及び図１６においては、それぞれのコンタクト２０４ａ、ｂを切断する前の状態について示している。
【００４８】
まず、実施の形態に係るコネクタ１が有する第１、第２スイッチ機構２１１、２１２の動作について説明する前に、接地片２０６、保持片２０９、接地端子２１８ａ、ｂ、並びに、外部出力用端子２１９ａ、ｂの関係について説明する。図１２に示すように、接地片２０６は、ハウジング２の内部において、接地端子２１８ａ、ｂと接続されると共に、保持片２０９と接続されている。一方、外部出力用端子２１９ａ、ｂは、ハウジング２の内部において、第１、第２スイッチ機構２１１、２１２を構成する固定接点２１１ｃ、２１２ｃと接続されている。
【００４９】
固定接点２１１ｃは、第１固定接点２１１ｃ−１と第２固定接点２１１ｃ−２とから構成されている。固定接点２１２ｃは、第３固定接点２１２ｃ−１と第４固定接点２１２ｃ−２とから構成されている。外部出力用端子２１９ｂは、第１固定接点２１１ｃ−１に接続され、外部出力用端子２１９ａは、第４固定接点２１２−２に接続されている。そして、第２固定接点２１１ｃ−２と第３固定接点２１２ｃ−１とが接続されている。
【００５０】
このような固定接点２１１ｃ、２１２ｃの上方側に、図１２及び図１３に示すように、捻りコイルばね２１１ｂ、２１２ｂが取り付けられた駆動部材２１１ａ、２１２ａが配置される。捻りコイルばね２１１ｂは、図１３に示すように、その中央に捻り部２１１ｂ−１を有し、この捻り部２１１ｂ−１から前後方向に延出する腕部２１１ｂ−２、３を有している。腕部２１１ｂ−２、３は、それぞれ先端部近傍で直角に屈曲しており、その屈曲部で固定接点２１１ｃに接触するように構成されている。このような捻りコイルばね２１１ｂの付勢力により駆動部材２１１ａは、持ち上げられた状態となっている。なお、捻りコイルばね２１２ｂも同様である。
【００５１】
このような構成を有するコネクタ１において、カード４が装着されていない場合には、第１、第２スイッチ機構２１１、２１２は、図１２及び図１３に示す状態となっている。図１２及び図１３は、ハウジング２にカード４が装着されておらず、カバー３が開いている場合における第１、第２スイッチ機構２１１、２１２の状態について示している。すなわち、図１及び図２に示すコネクタ１における第１、第２スイッチ機構２１１、２１２の状態について示している。
【００５２】
この場合、捻りコイルばね２１１ｂにおいて、腕部２１１ｂ−３は、第１固定接点２１１ｃ−１に接触し、腕部２１１ｂ−２は、第２固定接点２１１ｃ−２に接触していない状態となっている。一方、捻りコイルばね２１２ｂにおいて、腕部２１２ｂ−２は、第４固定接点２１２ｃ−２に接触し、腕部２１２ｂ−３は、第３固定接点２１１ｃ−２に接触していない状態となっている。この場合、第１、第２スイッチ機構２１１、２１２は、非導通状態であることから、オフ状態とされる。この結果、適切にカードが装着されていないか、或いは、カバー３が適切に閉じられていないと検知される。
【００５３】
そして、カード４が装着された場合には、第１、第２スイッチ機構２１１、２１２は、図１４及び図１５に示す状態となる。図１４及び図１５は、ハウジング２にカード４が装着され、カバー３が開いている場合における第１、第２スイッチ機構２１１、２１２の状態について示している。すなわち、図６及び図７に示すコネクタ１における第１、第２スイッチ機構２１１、２１２の状態について示している。
【００５４】
この場合、捻りコイルばね２１１ｂにおいて、腕部２１１ｂ−２は、カード４の装着によって駆動部材２１１ａが押し下げられることに伴って移動し、第２固定接点２１１ｃ−２に接触した状態となっている。なお、腕部２１１ｂ−３は、第１固定接点２１１ｃ−１に接触した状態を維持している。一方、捻りコイルばね２１２ｂにおいては、駆動部材２１２ａが駆動していないので、図１２及び図１３に示す状態を維持している。この場合、第１スイッチ機構２１１における捻りコイルばね２１１ｂが固定接点２１１ｃと接触しているものの、第１、第２スイッチ機構２１１、２１２は、非導通状態であることから、オフ状態とされる。この結果、適切にカードが装着されていないか、或いは、カバー３が適切に閉じられていないと検知される。
【００５５】
なお、ハウジング２にカード４を装着した状態から、カバー３が閉じられた場合においても、図８及び図９に示すように、駆動部材２１２ａが駆動されることはないので、図１４及び図１５に示す状態が維持される。この場合においても、第１スイッチ機構２１１における捻りコイルばね２１１ｂが固定接点２１１ｃと接触しているものの、第１、第２スイッチ機構２１１、２１２は、非導通状態であることから、オフ状態とされる。適切にカードが装着されていないか、或いは、カバー３が適切に閉じられていないと検知される。
【００５６】
カバー３を閉じた状態から、カバー３をスライド移動させてハウジング２にロックした場合、第１、第２スイッチ機構２１１、２１２は、図１６及び図１７に示す状態となる。図１６及び図１７は、ハウジング２にカバー３をロックした場合における第１、第２スイッチ機構２１１、２１２の状態について示している。すなわち、図１０及び図１１に示すコネクタ１における第１、第２スイッチ機構２１１、２１２の状態について示している。
【００５７】
この場合、捻りコイルばね２１２ｂにおいて、腕部２１２ｂ−３は、カバー３のスライド移動によって駆動部材２１２ａが押し下げられることに伴って移動し、第３固定接点２１２ｃ−１に接触した状態となっている。なお、腕部２１２ｂ−２は、第４固定接点２１２ｃ−２に接触した状態を維持している。一方、捻りコイルばね２１１ｂにおいては、図１４及び図１５に示す状態を維持している。この場合、第１、２スイッチ機構２１１、２１２における捻りコイルばね２１１ｂ、２１２ｂが、それぞれ固定接点２１１ｃ、２１２ｃと接触することから、第１、第２スイッチ機構２１１、２１２は、導通状態となることから、オン状態とされる。この結果、適切にカードが装着されていると共に、カバー３が適切に閉じられていると検知される。
【００５８】
このように本実施の形態に係るコネクタ１においては、ハウジング２内にカード４を装着した状態でカバー３を回動及びスライドさせてハウジング２にロックさせた場合に限って第１、第２スイッチ機構２１１、２１２をオン状態とすることができるので、ハウジング２内にカード４を装着する構造を有する場合においても、適切にカード４が装着されると共にカバー３が閉じていることを検知することが可能となる。
【００５９】
具体的には、本実施の形態に係るコネクタ１においては、第１スイッチ機構２１１は、捻りコイルばね２１１ｂと、第１固定接点２１１ｃ−１及び第２固定接点２１１ｃ−２とから構成され、第２スイッチ機構２１２は、捻りコイルばね２１２ｂと、第３固定接点２１２ｃ−１及び第４固定接点２１２ｃ−２とから構成され、第２固定接点２１１ｃ−２と、第３固定接点２１２ｃ−１とが接続されている。そして、カード４により第１スイッチ機構２１１が操作されると、捻りコイルばね２１１ｂが動作して第１固定接点２１１ｃ−１及び第２固定接点２１１ｃ−２に接触する一方、カバー３により第２スイッチ機構２１２が操作されると、捻りコイルばね２１２ｂが動作して第３固定接点２１２ｃ−１及び第４固定接点２１２ｃ−２に接触し、第１固定接点２１１ｃ−１から第４固定接点２１２ｃ−２までが導通状態となることで第１、第２スイッチ機構２１１、２１２がオン状態となる。このため、カード４により第１スイッチ機構２１１を操作すると共に、カバー３により第２スイッチ機構２１２を操作することで簡単に第１固定接点２１１ｃ−１から第４固定接点２１２ｃ−２までを導通状態とし、第１、第２スイッチ機構２１１、２１２をオン状態とすることができるので、適切にカード４が装着されると共にカバー３が閉じていることを確実に検知することが可能となる。
【００６０】
特に、本実施の形態に係るコネクタ１においては、第１固定接点２１１ｃ−１及び第４固定接点２１２ｃ−２に、それぞれ外部出力用端子２１９ｂ、ａを接続させている。これにより、カード４及びカバーに３より操作され、第１、第２スイッチ機構２１１、２１２がオン状態となった時にのみ検知信号が外部に出力されるので、当該検知信号に応じて外部機器で、適切にカード４が装着されると共にカバー３が閉じていることを確実に検知することが可能となる。
【００６１】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００６２】
例えば、上記実施の形態においては、外部出力用端子を第１固定接点と第４固定接点にそれぞれ接続している場合について説明しているが、外部出力用端子をさらにもう1つ加えて第２固定接点及び第３固定接点に接続するようにすれば、各スイッチ部の出力をそれぞれ検出することもでき、カードのみが装着されているのかや、カードが装着されずカバーのみが閉じているのかを検知することが可能となる。さらに、上記実施の形態においては、本発明をコネクタ１に具現化した場合について説明しているが、被検出部材により操作される第１スイッチ部と、被検出部材を所定の位置に保持する保持部材により操作される第２スイッチ部とを具備し、第１スイッチ部と第２スイッチ部とが同時に操作された場合に被検出部材が所定の位置に保持されていることを検出する被検出部材検出機構としても成立するものである。このような被検出部材検出機構においては、第１スイッチ部と第２スイッチ部とが同時に操作された場合に限って被検出部材が所定の位置に保持されていることを検出することができるので、適切に被検出部材が装着されていることを、簡単な構成で確実に検出することが可能となる。
【図面の簡単な説明】
【００６３】
【図１】本発明の一実施の形態に係るカード用コネクタの構成を説明するための斜視図である。
【図２】上記実施の形態に係るカード用コネクタの構成を説明するための斜視図である。
【図３】上記実施の形態に係るカード用コネクタの上面図である。
【図４】上記実施の形態に係るカード用コネクタのハウジング内に装着されるカードの構成を説明するための斜視図である。
【図５】上記実施の形態に係るカード用コネクタのハウジング内に装着されるカードの構成を説明するための上面図である。
【図６】上記実施の形態に係るカード用コネクタのハウジング内にカードが装着された状態の斜視図である。
【図７】上記実施の形態に係るカード用コネクタのハウジング内にカードが装着された状態の上面図である。
【図８】上記実施の形態に係るカード用コネクタにおいて、カバーを閉じた状態の斜視図である。
【図９】上記実施の形態に係るカード用コネクタにおいて、カバーを閉じた状態の上面図である。
【図１０】上記実施の形態に係るカード用コネクタにおいて、カバーをロックした状態の斜視図である。
【図１１】上記実施の形態に係るカード用コネクタにおいて、カバーをロックした状態の上面図である。
【図１２】上記実施の形態に係るカード用コネクタが有する第１、第２スイッチ機構の動作について説明するための斜視図である。
【図１３】上記実施の形態に係るカード用コネクタが有する第１、第２スイッチ機構の側面図である。
【図１４】上記実施の形態に係るカード用コネクタが有する第１、第２スイッチ機構の動作について説明するための斜視図である。
【図１５】上記実施の形態に係るカード用コネクタが有する第１、第２スイッチ機構の側面図である。
【図１６】上記実施の形態に係るカード用コネクタが有する第１、第２スイッチ機構の動作について説明するための斜視図である。
【図１７】上記実施の形態に係るカード用コネクタが有する第１、第２スイッチ機構の側面図である。
【符号の説明】
【００６４】
１  カード用コネクタ（コネクタ）
２  ハウジング
２０１  ベース部
２０２ａ、ｂ  側壁部
２０３ａ、ｂ  開口部
２０４ａ、ｂ  コンタクト
２０５  凸壁
２０６  接地片
２０７  切り欠き部
２０８  凹部
２０９  保持片
２１０ａ、ｂ  凹部
２１１  第１スイッチ機構
２１１ａ  駆動部材
２１１ｂ  捻りコイルばね
２１１ｃ  固定接点
２１１ｃ−１  第１固定接点
２１１ｃ−２  第２固定接点
２１２  第２スイッチ機構
２１２ａ  駆動部材
２１２ｂ  捻りコイルばね
２１２ｃ  固定接点
２１２ｃ−１  第３固定接点
２１２ｃ−２  第４固定接点
２１３、２１４  凹部
２１５ａ、ｂ  突出壁
２１６、２１７  突出片
２１８ａ、ｂ  接地端子
２１９ａ、ｂ  外部出力用端子
３  カバー
３０１  天板
３０２ａ、ｂ  左右側板
３０３ａ、ｂ  左右アーム部
３０４  ロック片
３０５  係合片
３０６  切り欠き部
３０７  弾性接触片
３０８  係合片
３０９  曲げ部
３１０  切り欠き部
３１１  規制片
３１２、３１３  係合部
３１４ａ、ｂ  回動軸
４  カード
４０１ａ、ｂ  リブ部
４０２ａ、ｂ  凹部
４０３  凹部
【図１】
2009087679.tif 000003
【図２】
2009087679.tif 000004
【図３】
2009087679.tif 000005
【図４】
2009087679.tif 000006
【図５】
2009087679.tif 000007
【図６】
2009087679.tif 000008
【図７】
2009087679.tif 000009
【図８】
2009087679.tif 000010
【図９】
2009087679.tif 000011
【図１０】
2009087679.tif 000012
【図１１】
2009087679.tif 000013
【図１２】
2009087679.tif 000014
【図１３】
2009087679.tif 000015
【図１４】
2009087679.tif 000016
【図１５】
2009087679.tif 000017
【図１６】
2009087679.tif 000018
【図１７】
2009087679.tif 000019